(57)【要約】【課題】巡回作業者が料金回収を行なった時点で自動販売機のカラム毎販売個数などの情報を取得しサーバに蓄積することで、料金回収と自動販売機のカラム毎販売個数などの情報を同期させ、売上金の算定を巡回作業者から管理者に変更し、巡回作業者の作業軽減を行なう。【解決手段】自動販売機１から売上金額算定情報を含む自動販売機側個別稼働情報を収集して蓄積する自動販売機情報管理機４と、料金回収ボタンの押下により料金回収ボタン押下情報を出力させる操作部と送受信部とを有した通信端末装置２とを備え、自動販売機１に接続の通信端末装置２の料金回収ボタンの押下により、料金回収ボタン押下情報を自動販売機情報管理機４に送信し、自動販売機情報管理機４は、自動販売機１に売上金額算定コマンド情報を送信し売上金額算定情報を収集して蓄積し、売上金額算定情報の収集処理結果を通信端末装置２に送信し、売上金額算定情報の収集処理結果を受信した通信端末装置２は売上金額算定情報の収集処理結果を記憶するようにした。【選択図】図１
2018206304.tif 000002
【特許請求の範囲】
【請求項１】
公衆通信回線を介して自動販売機の制御装置からこの自動販売機での商品販売個数などの売上金額を算定するために必要な売上金額算定情報を含む自動販売機側個別稼働情報を収集して情報収集サーバに蓄積する自動販売機情報管理機と、
料金回収ボタンの押下により料金回収ボタン押下情報を出力させる操作部と送受信部とを有し、前記送受信部を介して前記自動販売機情報管理機に料金回収ボタン押下情報を送信可能とされた通信端末装置とを備えていて、
自動販売機の制御装置に接続された前記通信端末装置は、前記料金回収ボタンの押下により、前記料金回収ボタン押下情報を前記自動販売機情報管理機に送信し、
前記自動販売機情報管理機は、通信端末装置からの前記料金回収ボタン押下情報を受信したときに、該通信端末装置が接続されている前記自動販売機の制御装置に売上金額算定コマンド情報を送信し売上金額算定情報を収集して情報収集サーバに蓄積し、
前記料金回収ボタン押下情報の受信によって前記売上金額算定情報を収集した自動販売機情報管理機は、売上金額算定情報の収集処理結果を通信端末装置に送信し、
自動販売機情報管理機からの前記売上金額算定情報の収集処理結果を受信した通信端末装置は、該売上金額算定情報の収集処理結果を記憶することを特徴とする料金回収システム。
【請求項２】
上記通信端末装置は、上記自動販売機情報管理機からの売上金額算定情報の収集処理結果を受信して記憶したときに、売上金額算定情報の収集処理結果をＬＥＤ素子などからなる表示手段で表示する表示部を有している請求項１に記載の料金回収システム。
【請求項３】
自動販売機情報管理機からの売上金額算定情報の収集処理結果が正常終了の場合、通信端末装置における上記表示部の表示は、自動販売機に蓄えられている販売売上金の現金及び釣り銭の全額回収と、事前に準備されている釣り銭の自動販売機への収納との作業開始を指示表示するものとされている請求項２に記載の料金回収システム。
【請求項４】
自動販売機情報管理機からの売上金額算定情報の収集処理結果が異常終了の場合、通信端末装置における上記表示部の表示は、自動販売機から売上金額算定情報を抽出するための売上金額算定コマンド情報が事前組み込みされている簡易情報取込装置を、自動販売機が有するオフライン用赤外線通信インターフェースである赤外線通信ユニットに赤外線通信で接続することを指示し、
前記簡易情報取込装置が自動販売機に送出した売上金額算定コマンド情報に基づく売上金額算定情報の簡易情報取込装置への収集蓄積と、蓄積完了後自動販売機に蓄えられている販売売上金の現金及び釣り銭の全額回収と、事前に準備されている釣り銭の自動販売機への収納との作業開始を指示表示するものとされている請求項２に記載の料金回収システム。
【請求項５】
上記簡易情報取込装置は、近距離無線通信の通信インターフェースとなる送受信部を有していて、
この簡易情報取込装置が、上記自動販売機情報管理機に公衆通信回線を介して接続する無線モデム部と近距離無線通信の通信インターフェースとなる送受信部とを有する携帯型通信機器に対して近距離無線通信を行なって、
簡易情報取込装置が、上記収集蓄積した売上金額算定情報を、前記携帯型通信機器経由で自動販売機情報管理機に送信する請求項４に記載の料金回収システム。
【発明の詳細な説明】
【技術分野】
【０００１】
本発明は、自動販売機、例えば飲料缶やペットボトル飲料などの飲料商品を収容し、販売する自動販売機からの金銭の回収作業の効率化を図り、ルートマンと呼ばれている巡回作業者の作業の軽減をするとともに、自動販売機を設置した飲料販売業者が必要としている売り上げに係る情報の取得が可能となるようにしている料金回収システムに関するものである。
【背景技術】
【０００２】
飲料缶やペットボトル飲料など複数種類の飲料商品を独立した棚である各カラムに収容した自動販売機は、商品が販売されるカラムの在庫が減り、売上金が貯まっていくため、上述した巡回作業者によって商品の補充作業や金銭の回収作業が定期的に行なわれている。
【０００３】
一般に飲料商品の補充作業や金銭の回収作業を行なう巡回作業者は、ハンディターミナルと称される作業者用端末装置を携帯している。そして自動販売機からの金銭の回収作業では、巡回作業者がその作業者用端末装置を使用しながらつぎの作業を行なっている。
【０００４】
まず、作業者用端末装置と自動販売機との間で赤外線通信を利用して作業者用端末装置と自動販売機とを接続する。そして自動販売機内のデータ（カラム毎販売個数等）を作業者用端末装置に取得し、その作業者用端末装置などで自動販売機の現金売上金額を算定する。
【０００５】
つぎに、商品購入に際して投入された金銭の収納部を自動販売機から取り外し、その収納部から回収した金銭の現金額を数える。続いて、算定した上記現金売上金額と前回収納した釣り銭用金額の合計と、自動販売機から回収した前記金銭の現金額とが一致することを確認する。そしてその確認後、回収した前記金銭から釣り銭用の現金を金種を選んで自動販売機の釣り銭払い出し機構部分に収納していた。
【０００６】
また、巡回作業者には、上述したように自動販売機に飲料商品を補充する作業があり、この商品補充作業を軽減するためのシステムが、特許文献１に示されている。
【０００７】
上記特許文献１では、巡回作業者が巡回ルート内の自動販売機の商品在庫の状況を、ネットワークを通じて入力し、巡回作業者が巡回ルート内の何れかの補充対象地域に到達した時点で、配送車の商品在庫から巡回ルート内の自動販売機の商品在庫状況および自動販売機毎に予め設定した補充基準に基づき、自動販売機に配分する商品およびその数量を算出し、配分する商品と数量を、ネットワークを通じて情報端末機に出力し、これによって輸送コストや作業コストを低減しようとするシステムであった。
【０００８】
また、図４で他の従来のシステムの構成の概略を示した。この図４に示す従来のシステムでは、自動販売機ＢＤの制御装置ＢＤ１とこれに接続された送受信機ＢＤ２を備え、飲料販売業者ＤＭの端末装置ＤＭ１を、インターネットに代表される公衆通信回線ＮＴを介して自動販売機ＢＤの送受信機ＢＤ２に接続するようにしている。
【０００９】
そして、飲料販売業者ＤＭは必要とする情報を収集するため、コマンド記憶部ＤＭ２に記憶されているコマンド情報を自動販売機ＢＤに送信し、そのコマンド情報に応答して自動販売機ＢＤから返信された情報をサーバＤＭ３に蓄積するようにしているものである。自動販売機から返信される前記情報は飲料販売業者が必要とする情報であり、例えば自動販売機個々での、販売数量、欠品の有無、釣銭切れ、故障・不具合に関するアラート報知などの自動販売機側個別稼働情報である。
【００１０】
上述した従来の情報収集のシステムは、自動販売機からの上記自動販売機側個別稼働情報を収集するために、通信サーバから自動販売機の制御装置にコマンド情報を送信して、一台毎の自動販売機側個別稼働情報を収集する方式となる。
【００１１】
上記情報収集のシステムでは、大都市圏のような自動販売機の設置台数の多い地域において、例えば５万台以上の膨大な数の自動販売機から上記情報（自動販売機側個別稼働情報）を収集する場合、個々の自動販売機にアクセスして情報収集することになる。
【先行技術文献】
【特許文献】
【００１２】
【特許文献１】特開２００８−２９３２６２号公報
【発明の概要】
【発明が解決しようとする課題】
【００１３】
（巡回作業者の売上金回収）
上述したように巡回作業者が現場で行なう売上金の回収作業は、巡回作業者が携帯している作業者用端末装置と自動販売機とを赤外線通信を利用して接続して、自動販売機内の情報（カラム毎販売個数等）を作業者用端末装置に取得し、自動自販機の現金売上金額を算定し、現金売上金額と前回収納した釣り銭用金額の合計と、自動自販機から回収した金銭の現金額とが一致することを確認し、回収した金銭の売上金から釣り銭用の現金を金種を選んで自動販売機に収納するものであり、この売上金回収作業に多くの時間を要しており、売上金回収作業業務中に現金紛失等の事故が発生する可能性がある。
【００１４】
また巡回作業者には、作業者用端末装置の操作等を含めて巡回現場での作業をこなすスキルが求められる。そのスキルは、巡回作業者採用の閾値を高くしており、巡回作業者の補充を難しくしている。
【００１５】
（サーバ蓄積の情報の利用検討）
そのため巡回作業者の作業を軽減することが色々検討されている。その一つとして、上記情報収集のシステムでは、飲料販売業者（ＤＭ）のサーバ（ＤＭ３）に集められて蓄積されるので、前記サーバから、作業の対象となる自動販売機の情報（カラム毎販売個数等）を作業者用端末装置に取得することは、作業者用端末装置を単純な操作手順で取り扱うことで実施でき、巡回作業者の作業を軽減させる上で利点になると考えられる。
【００１６】
そして巡回作業者が作業の現場やその現場に向かう準備の時点で、自動販売機の上記情報を作業者用端末装置に取得できれば、売上金回収作業での作業者用端末装置の操作を簡便なものとすることができると考えられる。
【００１７】
（サーバ側の情報の低即時性）
しかしながら、上記情報収集のシステムでは、自動販売機の設置台数が多いことから個々の自動販売機にアクセスして情報収集しようとすると長時間を要することになる。そして夜間に集中して情報収集する方式に限られ、オンラインシステムを導入しても一日遅れのような情報で業務管理を行なうため、業務改善効果が限定的なものであった。また、このように収集された多くの情報の即時性が乏しいという点があった。
【００１８】
このように飲料販売業者のサーバに収集された多くの情報に即時性が乏しいことから、巡回作業者が、そのサーバから現場の自動販売機のデータを作業者用端末装置に取得して現金売上金額を算定しても、作業者用端末装置で得られた現金売上金額と、現場におけるその時点での従来作業により算出する現金売上金額とが相違する可能性が高い。よって、従来の情報収集のシステムにおけるサーバから取得するデータには、自動販売機の現金売上金額の算定に利用できないという不具合がある。
【００１９】
そこで本発明は上記事情に鑑み、巡回作業者が料金回収を行なった時点で自動販売機のカラム毎販売個数などの情報を取得しサーバに蓄積することで、料金回収と自動販売機のカラム毎販売個数などの情報を同期させ、売上金の算定を巡回作業者から管理者に変更し、巡回作業者の作業軽減を行なうことを目的とするものである。
【課題を解決するための手段】
【００２０】
（請求項１の発明）
本発明は上記課題を考慮してなされたもので、公衆通信回線を介して自動販売機の制御装置からこの自動販売機での商品販売個数などの売上金額を算定するために必要な売上金額算定情報を含む自動販売機側個別稼働情報を収集して情報収集サーバに蓄積する自動販売機情報管理機と、
料金回収ボタンの押下により料金回収ボタン押下情報を出力させる操作部と送受信部とを有し、前記送受信部を介して前記自動販売機情報管理機に料金回収ボタン押下情報を送信可能とされた通信端末装置とを備えていて、
自動販売機の制御装置に接続された前記通信端末装置は、前記料金回収ボタンの押下により、前記料金回収ボタン押下情報を前記自動販売機情報管理機に送信し、
前記自動販売機情報管理機は、通信端末装置からの前記料金回収ボタン押下情報を受信したときに、該通信端末装置が接続されている前記自動販売機の制御装置に売上金額算定コマンド情報を送信し売上金額算定情報を収集して情報収集サーバに蓄積し、
前記料金回収ボタン押下情報の受信によって前記売上金額算定情報を収集した自動販売機情報管理機は、売上金額算定情報の収集処理結果を通信端末装置に送信し、
自動販売機情報管理機からの前記売上金額算定情報の収集処理結果を受信した通信端末装置は、該売上金額算定情報の収集処理結果を記憶することを特徴とする料金回収システムを提供して、上記課題を解消するものである。
【００２１】
（請求項２の発明）
そして、本発明において、上記通信端末装置は、上記自動販売機情報管理機からの売上金額算定情報の収集処理結果を受信して記憶したときに、売上金額算定情報の収集処理結果をＬＥＤ素子などからなる表示手段で表示する表示部を有していることが良好である。
【００２２】
（請求項３の発明）
また、本発明において、自動販売機情報管理機からの売上金額算定情報の収集処理結果が正常終了の場合、通信端末装置における上記表示部の表示は、自動販売機に蓄えられている販売売上金の現金及び釣り銭の全額回収と、事前に準備されている釣り銭の自動販売機への収納との作業開始を指示表示するものとされていることが良好である。
【００２３】
（請求項４の発明）
また、本発明において、自動販売機情報管理機からの売上金額算定情報の収集処理結果が異常終了の場合、通信端末装置における上記表示部の表示は、自動販売機から売上金額算定情報を抽出するための売上金額算定コマンド情報が事前組み込みされている簡易情報取込装置を、自動販売機が有するオフライン用赤外線通信インターフェースである赤外線通信ユニットに赤外線通信で接続する事を指示し、
前記簡易情報取込装置が自動販売機に送出した売上金額算定コマンド情報に基づく売上金額算定情報の簡易情報取込装置への収集蓄積と、蓄積完了後自動販売機に蓄えられている販売売上金の現金及び釣り銭の全額回収と、事前に準備されている釣り銭の自動販売機への収納との作業開始を指示表示するものとされていることが良好である。
【００２４】
（請求項５の発明）
また本発明において、上記簡易情報取込装置は、近距離無線通信の通信インターフェースとなる送受信部を有していて、
この簡易情報取込装置が、上記自動販売機情報管理機に公衆通信回線を介して接続する無線モデム部と近距離無線通信の通信インターフェースとなる送受信部とを有する携帯型通信機器に対して近距離無線通信を行なって、
簡易情報取込装置が、上記収集蓄積した売上金額算定情報を、前記携帯型通信機器経由で自動販売機情報管理機に送信することが良好である。
【発明の効果】
【００２５】
（請求項１の発明の効果）
請求項１の発明によれば、巡回作業者による通信端末装置の操作は、現場で自動販売機の扉を開けて自動販売機の制御部に繋がるようにセットされた通信端末装置の料金回収ボタンを押下するという単純なものとなる。
そして、巡回作業者の管理者は、情報収集サーバに記憶されている売上金額算定情報（自動販売機の売上金額を算定するのに必要とする情報）を入手でき、売上金額を算定できる。即ち、巡回作業者個々が現場で商品の売上金額を算定する作業を無くすことができる。
【００２６】
そのため、現場での作業時間の短縮が図れ、操作が複雑な作業者用端末装置（ハンディーターミナル）の操作等、現場の作業の難易度が下がり、巡回作業者の補充の難しさが軽減される。
【００２７】
また、この発明によれば、現金は自動販売機毎の全額販売料金回収袋等に収納する単純な作業とすることができ、そのようにすることで現金紛失等の事故発生の可能性を低くする。釣り銭金についても、予め定めた釣り銭額及び金種とすることができ、そのようにすることで、事前に釣り銭額を準備する作業も単純化できる。そのため現場の作業が単純化でき、自動販売機に釣り銭額を揃えるように現金を補充する作業も削減できる。
【００２８】
（請求項２の発明の効果）
請求項２の発明によれば、通信端末装置は、自動販売機情報管理機側から送信された売上金額算定情報の収集処理結果を記憶し、表示部にて表示する機能を持つことになる。
【００２９】
そして、通信端末装置の表示部、例えば料金回収ボタンに内蔵されているＬＥＤ素子からなる表示部で、上記自動販売機情報管理機が収集した売上金額算定情報の取得が正常に行われたことが表示（例えば青色点灯）にて示されるようにすれば、その表示（前記青色点灯）を巡回作業者が確認することで、販売売上金の現金と、釣り銭を全額販売料金回収袋等に収納し、予め準備した釣り銭金を自動販売機に収納するといった単一化された現金回収作業を開始できるようになる。
【００３０】
（請求項３の発明の効果）
請求項３の発明によれば、自動販売機情報管理機が売上金額算定情報を正常に受信したことを巡回作業者が表示部で確認することで、巡回作業者は、
自動販売機に蓄えられている販売売上金及び釣り銭金を全額販売料金回収袋等に収納し、予め準備した釣り銭を自動販売機に収納するという単一化された現金回収作業を開始できるようになる。
【００３１】
そして、このような料金管理方式を採ることで巡回作業者の現場作業を短縮できる。
【００３２】
（請求項４の発明の効果）
請求項４の発明によれば、自動販売機情報管理機が売上金額算定情報を正常に受信できなかったことを巡回作業者が表示部で確認することで、巡回作業者は、
簡易情報取込装置を赤外線通信にて自動販売機に接続し、自動販売機からの売上金額を算定するために必要となる売上金額算定情報の簡易情報取込装置への収集蓄積作業と、
自動販売機に蓄えられている販売売上金及び釣り銭金を全額販売料金回収袋等に収納し、予め準備した釣り銭を自動販売機に収納するという単一化された現金回収作業を開始できるようになる。
【００３３】
そして、このような料金管理方式を採ることで情報収集サーバからの売上金額算定情報が正常に受信できなかた場合でも、巡回作業者の現場作業を短縮できる。
【００３４】
（請求項５の発明の効果）
請求項５の発明によれば、簡易情報取込装置が、ＢＬｕｅｔｏｏｔｈ（登録商標）規格などに基づく近距離無線通信を用いて携帯電話などの携帯型通信機器経由で自動販売機情報管理機に送信する機能を持つものとなる。
【００３５】
これによって、巡回作業者が帰社する前に、簡易データロガーなどの簡易情報取込装置に収集蓄積した自動販売機からの売上金額算定情報を、データ管理センターなどに設置されている自動販売機情報管理機に送信し、管理者の自動販売機の売上金額を算出業務の効率化が図れる。なお、自動販売機情報管理機は、巡回作業者の管理者が、該自動販売機情報管理機が蓄積する情報にアクセスできる設備機器である。
【００３６】
（簡易データロガー）
上記簡易情報取込装置は、簡易データロガーなどと称されていて、一般化されたオフライン用赤外線通信インターフェースとしている赤外線通信部と同じく一般化された近距離無線通信インターフェイスとしている作業者用情報取込装置側送受信部とを有する。
【００３７】
（フューチャーフォン、スマートフォン）
また、上記携帯型通信機器は、個人用や業務用として広く普及している携帯電話などであって、一般化された近距離無線通信インターフェイスとしている送受信部と公衆通信回線の通信インターフェースとしている無線モデム部とを有する。
【図面の簡単な説明】
【００３８】
【図１】本発明の料金回収システムの概要を示すブロック図で示す説明図である。
【図２】本発明の料金回収システムでの簡易情報取込装置と携帯型通信機器を用いた場合の概略をブロック図で示す説明図である。
【図３】本発明の料金回収システムにおける通信端末装置の処理の流れをフローチャートで示す説明図である。
【図４】従来の情報収集システムの概要をブロック図で示す説明図である。
【発明を実施するための形態】
【００３９】
つぎに本発明の実施の形態を図に基づいて詳細に説明する。図１は本発明による料金回収システムの概要を示すブロック図で示していて、図中１は飲料缶やペットボトル飲料などの飲料商品を収容する自動販売機である。本実施の形態において一台以上の自動販売機１を含むことができるものであるが、図においては説明を容易にするため一台の自動販売機１を含んだ例を示している。
【００４０】
（自動販売機）
まず図１に示されているように自動販売機１は内部に制御装置１０が組み込まれていて、この制御装置１０は、自動販売機１の全体を制御する役割を果たすものであり、その役割の一部としてカラムごとの商品販売個数、欠品の有無、釣銭切れ、故障・不具合に関するアラート通知などからなる自動販売機側個別稼働情報を記憶する機能も有している。
【００４１】
自動販売機１の制御装置１０は、自動販売機の各部に設置したスイッチやセンサーからの信号を集合させて自動販売機全体を制御する制御部１１と、上述したようにカラムごとの商品販売個数、欠品の有無、釣銭切れ、故障・不具合に関するアラート通知などの自動販売機側個別稼働情報を記憶する状態記憶部１２で構成している。
【００４２】
状態記憶部１２には上記自動販売機側個別稼働情報が記憶されるが、特に商品販売個数の場合は、飲料商品の販売ごとに数量データが生成されて状態記憶部１２内の数量データが更新され、自動販売機１での商品販売の状態がリアルタイムで記憶されることになる。そして状態記憶部１２は上記制御部１１との間で、この制御部１１の制御の下で前記自動販売機側個別稼働情報の受け渡しが行なえるようにしている。
【００４３】
また、自動販売機１の上記制御部１１は、通信端末装置２との間で情報の送受信が行えるように設けられている。
【００４４】
（通信端末装置）
上記通信端末装置２は、図示されているように通信端末装置２を制御する制御部２０と、料金回収ボタンを実現する操作部２１と、ＬＥＤ素子などの表示手段を組み込んでなる表示部２２と、データ記憶部２４と、送受信部２５とで構成されている。
【００４５】
そして制御部２０は、データ記憶部２４、送受信部２５との間で、この制御部２０の制御の下で後述するように情報の受け渡しが行なえるようにしているとともに、巡回作業者が操作することでの操作部２１の情報を受け、さらに表示部２２での動作もこの制御部２０が制御する。
【００４６】
（自動販売機情報管理機）
通信端末装置２は上記送受信部２５から公衆通信回線３を介して自動販売機情報管理機４に接続でき、必要に応じて自動販売機情報管理機４との間で情報の送受信が行なえるように設けられ、自動販売機情報管理機４にあっては後述するようにこの通信端末装置２を介した状態で自動販売機１との間での情報の受け渡しの関係が成立するようにしている。
【００４７】
公衆通信回線３を介して自動販売機１側と情報のやり取りを行なう自動販売機情報管理機４は、商品販売業者のデータ管理センターなどの施設に設置されている機器である。そして図１に示すように自動販売機情報管理機４全体を制御する制御装置１４と、この制御装置１４に接続されて制御装置１４との間で情報の受け渡しや情報の蓄積をこの制御装置１４の制御の下で行なう情報収集サーバ１５とを備えている。
【００４８】
さらに自動販売機情報管理機４の上記制御装置１４は、通信端末装置２から情報を受信することができ、その情報に基づいて上記情報収集サーバ１５から自動販売機１に送信するコマンド情報を取り込んで通信端末装置２を介して自動販売機１へ送信することができるものである。
【００４９】
上記通信端末装置２では、後述するように巡回作業者が通信端末装置２の操作部２１での不図示の料金回収ボタンを押下すると、自動販売機情報管理機４に向けて料金回収業ボタン押下情報が送信されるようにしている。
【００５０】
そして自動販売機情報管理機４は、上記料金回収業ボタン押下情報を受け取ると、通信端末装置２が接続されている自動販売機１から、この自動販売機１が蓄積している売上金額算定情報を取得できるように、自動販売機１の制御部１１に通信端末装置２を介して売上金額算定コマンド情報を出力するように設けられている。
【００５１】
その売上金額算定コマンド情報を受けた自動販売機１の制御部１１は、売上金額算定コマンド情報を受信した時点で自動販売機１が蓄積している売上金額算定情報を通信端末装置２を介して自動販売機情報管理機４に向けて送信するように設けられており、自動販売機情報管理機４が前記売上金額算定情報を取得するように設けられている。
【００５２】
上述したように自動販売機情報管理機４は自動販売機１から売上金額算定情報を取得することで、情報収集サーバ１５が売上金額算定情報を収集する形となってこの売上金額算定情報を蓄積するように設けられている。
【００５３】
（通信端末装置の表示部）
自動販売機情報管理機４側で売上金額算定情報が蓄積されると、自動販売機情報管理機４は、受信した売上金額算定情報が正常に受信された情報（正常終了）であるか、或いは正常に受信されていない情報（異常終了）であるかの売上金額算定情報の収集処理結果を、通信端末装置２に送信する。
【００５４】
通信端末装置２は、受信した上記売売上金額算定情報の収集処理結果が正常終了である場合と異常終了である場合とで表示部２２の動作が異なるように設けられている。本実施の形態では、表示部２２の表示動作において、受信した売上金額算定情報の収集処理結果が正常終了であるときには青色点灯し、異常終了であるときには赤色点灯するように設けられている。
【００５５】
（正常終了のとき）
正常終了であった場合の表示部２２の表示は、巡回作業者側に、自動販売機に蓄えられている販売売上金及び釣り銭を全額販売料金回収袋等に収納し、予め準備した釣り銭を自動販売機に収納するという現金回収作業を開始してもよいという指示を表すものとしている。
【００５６】
（異常終了のとき）
反対に異常終了であった場合の表示部２２は、巡回作業者側に、後述の簡易情報取込装置を赤外線通信にて自動販売機１に接続し、自動販売機１からの売上金額を算定するために必要となる売上金額算定情報を簡易情報取込装置に収集蓄積する指示を行なう。以後の処理は、簡易情報取込装置で売上金額算定情報を取得・蓄積し、簡易情報取込装置の表示により、自動販売機１に蓄えられている販売売上金の現金及び釣り銭を全額回収し、事前に準備されている釣り銭を自動販売機へ収納する作業を開始してもよいという指示を表すものとしている。
【００５７】
上記表示部２２は操作部２１での上記料金回収ボタンの内部に組み入れられるようにして、その料金回収ボタンを通して点灯状態が視認できるようにしてもよい。
【００５８】
簡易情報取込装置については後述するが、汎用の簡易データロガーなどと称されているものが採用できる。簡易情報取込装置は、一般化されたオフライン用赤外線通信インターフェースとしている赤外線通信部と、同じく一般化された近距離無線通信インターフェイスとしている送受信部とを有している。そして前記赤外線通信部にて、自動販売機が有する赤外線通信ユニットとの間で赤外線通信を行なうことで、この簡易情報取込装置と自動販売機との間で情報の受け渡しが可能となるように設けられている。
【００５９】
上記簡易情報取込装置が送受信部を有していることから、携帯型通信機器との間で近距離無線通信を行なえるものとされている。そのため簡易情報取込装置の操作部を操作して収集蓄積したその売上金額算定情報を携帯型通信機器を介して、自動販売機情報管理機４の情報収集サーバ１５に蓄積されるようにその自動販売機情報管理機４側に送信できるように設けられている。
【００６０】
携帯型通信機器は個人用や業務用として広く普及している携帯電話などである。そしてこの携帯型通信機器は、一般化された近距離無線通信インターフェイスとしている送受信部と公衆通信回線の通信インターフェースとしている無線モデム部とを有するものであることから、上述した情報の送信作業に十分にして、かつ手軽に利用することができる。
【００６１】
つぎに上記実施の形態における通信端末装置２の処理の流れの例を図３のフローチャート図に基づいて以下に説明する。
【００６２】
（Ｓａ１）
Ｓａ１は、自動販売機１の扉が巡回作業者により開かれ、通信端末装置２の操作部２１の料金回収ボタンが押下されるのを待っている段階である。なお、通信端末装置２は、自動販売機１での制御部１１との間で情報の受け渡しが行なえるように自動販売機１に取り付けられている。
操作部２１の料金回収ボタンが押下されると、Ｓａ２へ移行する。
【００６３】
（Ｓａ２）
Ｓａ２は、通信端末装置２の操作部２１の料金回収ボタンが押下されたことを判定した後、自動販売機１の扉が開かれてから操作部２１の料金回収ボタンが押下されたのが、一回目か二回目かの判定を行なう段階である。
操作部２１の料金回収ボタンが押下されたのが一回目であると、通信完了フラグは、初期値の０になる。その通信完了フラグが０であれば、Ｓａ３に移行し、通信完了フラグが１のときは、表示部２２の表示を待機状態に戻すために押下されたと判断し、Ｓａ１１に移行する。
表示部２２の表示を待機状態に戻すための押下は、例えば巡回作業が全て終了した時点で行なう。
【００６４】
（Ｓａ３）
Ｓａ３は、送受信部２５から公衆通信回線３を介してデータ管理センターなどに設置されている自動販売機情報管理機４に料金回収ボタン押下情報を送信する段階である。通信端末装置２が料金回収ボタン押下情報を送信すると、Ｓａ４に移行する。
【００６５】
自動販売機情報管理機４の制御装置１４は上記料金回収ボタン押下情報を受け取ると、料金回収ボタン押下情報を送出した通信端末装置２を介して通信端末装置２が接続されている自動販売機１に売上金額算定コマンド情報を送出して売上金額算定情報を取得する。
【００６６】
（Ｓａ４）
Ｓａ４は、送受信部２５が受信した情報が、自動販売機１に転送すべき情報かどうかをチェックする段階である。そして、自動販売機１に転送すべき情報であればＳａ５に移行し、送受信部２５が受信した情報が自動販売機１に転送する情報でない場合（即ち、送受信部２５が受信した情報が、売上金額算定情報の収集処理結果である場合）はＳａ６に移行する。
【００６７】
（Ｓａ５）
Ｓａ５では、送受信部２５が受信した情報は、制御部２０を介して自動販売機１の制御装置１０に情報を転送し、自動販売機１の制御装置１０から受け取った情報は、送受信部２５から自動販売機情報管理機４に公衆通信回線３を介して自動販売機情報管理機４に転送し、Ｓａ４に戻る。
【００６８】
フローでの選択がＹ（ｙｅｓ）となったときにＳａ５に移行するようにしている上記Ｓａ４は、制御装置１４が通信端末装置２を介して自動販売機１に売上金額算定コマンド情報を送出し、制御装置１４が自動販売機１から売上金額算定情報を取得する処理を行なうために存在する。このとき通信端末装置２は、自動販売機１と制御装置１４の間でデータを中継する。この中継の処理がＳａ５の段階である。
【００６９】
（Ｓａ６）
Ｓａ６は、自動販売機情報管理機４から売上金額算定情報の収集処理結果を受信し、データ記憶部２４に記憶させる段階である。そして、売上金額算定情報の収集処理結果をデータ記憶部２４に記憶させた後は、フローがＳａ７に移行する。
収集処理結果とは自動販売機情報管理機４での処理結果のことであり、正常終了と異常終了とのいずれかとなる。
【００７０】
（Ｓａ７）
Ｓａ７は、データ記憶部２４に記憶させた情報、即ち、上記売上金額算定情報の収集処理結果が正常終了であるか異常終了であるかを判定する段階である。
取集処理結果が正常終了である場合は、Ｓａ８に移行し、取集処理結果が異常終了である場合は、Ｓａ１０に移行する。
【００７１】
（Ｓａ８）
Ｓａ８は、表示部２２で正常終了と表示する段階である。そして、Ｓａ９に移行する。前記表示部２２で正常終了と表示する動作は、上述した表示手段の青色点灯を伴なう。そして青色点灯は、巡回作業者に対する上述の作業開始を指示表示する点灯となるものとしている。
【００７２】
（Ｓａ１０）
Ｓａ１０は、表示部２２で異常終了と表示する段階である。そしてＳａ９に移行する。表示部２２で異常終了と表示する動作は、上述した表示手段の赤色点灯を伴なう。赤色点灯の場合の巡回作業員の対応については後述する。
【００７３】
（Ｓａ９）
Ｓａ９は、通信完了フラグを１にセットし、自動販売機情報管理機４に料金回収ボタン押下情報を送信済状態にする。
【００７４】
（Ｓａ９の目的）
巡回作業者が、一度料金回収ボタンを押下すると料金回収ボタン押下情報が制御装置１４に送出され、収集処理結果が戻ってきて、青色または赤色のＬＥＤ素子などからなる表示部２２が点灯する。
そして、料金回収作業が終了した時、青色または赤色の点灯状態のままにしておくと、次回の料金回収時に困ることとなる。そのため、作業終了時に料金回収ボタンを押下することで青色または赤色の表示発光している表示手段を消灯させる。この動作をさせるフラグセットがＳａ９の目的である。
【００７５】
（Ｓａ１１）
Ｓａ１１は、表示部２２が正常終了または異常終了となっている表示についてこれを消去処理し、表示部２２を待機状態に戻す段階である。その後、Ｓａ１２に移行する。
【００７６】
（Ｓａ１２）
Ｓａ１２は、通信完了フラグをリセットし０に戻す段階である。その後、Ｓａ１に移行する。
【００７７】
上述のように通信端末装置２の処理を行なっており、巡回作業者は、自動販売機１の扉を開けて、通信端末装置２の操作部２１の料金回収ボタンを押下して、料金回収業務を開始することになる。巡回作業者が料金回収ボタンを押下したあとの料金回収業務は、
・販売売上金の現金及び釣り銭を全額、販売料金回収袋等に収納し、
・予め準備した釣り銭を自動販売機に収納し、
・商品の補充作業を完了後、自動販売機１の扉を閉める前に料金回収ボタンを押下して、表示部２２を待機状態に戻す（この場合、正常終了の表示の消去）、
こととなり、表示部２２を待機状態に戻して料金回収業務が終了するため、標準手順で作業を間違いなく終えることができる。
【００７８】
（簡易情報取込装置）
つぎに、自動販売機情報管理機からの収集処理結果が異常終了の場合は、簡易情報取込装置（簡易データロガー）を用いて、自動販売機から売上金額算定情報を収集する形態を、図に基づいて詳細に説明する。図２は簡易情報取込装置６を用いて売上金額算定情報を収集する時の概要を示すブロック図である。
【００７９】
図２に示されているように自動販売機１は、制御装置１０において制御部１１と情報のやり取りが行なえる赤外線通信ユニット１３を有している。
【００８０】
なお、図１に示す実施の形態での自動販売機１では、制御装置１０において赤外線通信ユニットが示されていないが、図２に示す自動販売機１の上記制御装置１０と同一の構成であって、赤外線通信により外部機器と接続をするためのオフライン用赤外線通信インターフェースを備えている赤外線通信ユニットを有し、その赤外線通信ユニットは制御部１１と情報のやり取りが行なえるものである。また、図２は、簡易情報取込装置６の構成の説明を容易にするために通信端末装置２についての構成が省略されているものであって、通信端末装置２が存在しないわけではない。
【００８１】
上述したように収集処理結果が異常終了の場合に、自動販売機１の上記赤外線通信ユニット１３と簡易情報取込装置６の赤外線通信部４５とを使って赤外線通信で自動販売機１と簡易情報取込装置６を接続し、自動販売機１の状態記憶部１２に記憶されている自動販売機側個別稼働情報から売上金額算定情報を抽出して取得し、その売上金額算定情報を簡易情報取込装置６に蓄積するものである。
【００８２】
簡易情報取込装置６は簡易型データロガーからなるものである。簡易情報取込装置６は、この簡易情報取込装置全体を制御する制御部４０、簡易情報取込装置６の表面などに上記通信端末装置２での操作部２１と同様に料金回収ボタン（図示せず）を含む各種のボタンが設けられて、ボタンの押下により操作信号を制御部４０に送る操作部４１、制御部４０から表示動作の制御が行なわれるようにした表示部４２、そして自動販売機１の赤外線ユニット１３との間で赤外線通信を行なうようにオフライン用赤外線通信インターフェースを備え、制御部４０とで情報のやり取りを行なう上記赤外線通信部４５を有している。
【００８３】
また、簡易情報取込装置６は、図示されているように制御部４０とで情報のやり取りをそれぞれ行なうコマンド記憶部４３、データ記憶部４４、一般化された近距離無線通信インターフェイスとしている送受信部４９を有している。さらに、後述の蓄電池などからなる電源部４６、外部電源から電源部４６に充電を行なえるようにするための機構と外部機器との信号受け渡しの接続機構とを兼ねる充電端子４８、充電端子４８を介して外部機器が制御部４０とで情報のやり取りを行なえるようにしたシリアルＩ／Ｆ（インターフェース）４７を備えている。
【００８４】
簡易情報取込装置６のコマンド記憶部４３には、売上金額算定情報を収集するために、必要な売上金額算定コマンド情報が予め記憶されている。操作部４１の料金回収ボタンを押下すると、制御部４０は、コマンド記憶部４３から売上金額算定コマンド情報を読み出し、この売上金額算定コマンド情報を赤外線通信部４５から自動販売機１の制御装置１０に赤外線通信で送出するように設けられている。
【００８５】
自動販売機１では、赤外線通信ユニット１３から売上金額算定コマンド情報を制御部１１が受けると、制御部１１が、状態記憶部１２に蓄積の自動販売機側個別稼働情報から売上金額算定情報を抽出し、これを赤外線通信ユニット１３から簡易情報取込装置６に向けて送り出すように設けられている。
【００８６】
簡易情報取込装置６は、自動販売機１から売上金額算定情報を取得し、データ記憶部４４に蓄積するとともに、表示部４２に売上金額算定情報の取得が完了したことを示す表示を行なうように設けられている。
【００８７】
巡回作業者は、簡易情報取込装置６の操作部４１の料金回収ボタンを押下して、表示部４２に売上金額算定情報の取得の完了を示す表示を確認した後に、料金回収業務を開始することになる。
巡回作業者が料金回収ボタンを押下して表示部４２の売上金額算定情報の取得の完了を示す表示を消去したあとの料金回収業務は、
・販売売上金の現金及び釣り銭を全額、販売料金回収袋等に収納し、
・予め準備した釣り銭を自動販売機に収納し、
・商品の補充作業を完了後、自動販売機１の扉を閉める前に通信端末装置２の料金回収ボタンを押下して、通信端末装置２の表示部２２を待機状態に戻す、
ことであり、以上の作業を行なって料金回収業務を終了する。
【００８８】
上記料金回収業務の終わりの段階で通信端末装置２の料金回収ボタンを押下する点について説明する。即ち、通信端末装置２の料金回収ボタンを押下して表示部２２に異常終了が表示された後、上述のように簡易情報取込装置６で売上金額算定情報の取得した場合でも、作業終了時（自動販売機の扉を閉める前に）、通信端末装置２の料金回収ボタンを押下することで、通信端末装置２の表示部２２の異常終了の表示が消去されるように設けられている。
【００８９】
このようにして料金回収業務が終了するため、簡易情報取込装置６に売上金額算定情報を取得する場合でも、標準手順で作業を間違いなく終えることができる。
【００９０】
上記簡易情報取込装置６の自動販売機１への通信接続は、上述したように通信端末装置２での表示部２２において、自動販売機情報管理機４からの売上金額算定情報が異常終了した状態であることの表示があったために行なうものである。そして上述したように簡易情報取込装置６での料金回収ボタンを押下したあとの料金回収業務は、通信端末装置２での表示部２２において正常終了が表示されたあとの料金回収業務と同様のものとなる。
【００９１】
よって通信端末装置２での表示部２２での異常終了の表示自体も、簡易情報取込装置６を自動販売機１に接続する作業と上述の作業との簡単な作業を開始することを指示表示するものである。
【００９２】
簡易情報取込装置６の送受信部４９は、ＢＬｕｅｔｏｏｔｈ（登録商標）規格に基づく近距離無線通信を用いることができる近距離無線通信の通信インターフェースが搭載されているものである。そしてＢｌｕｅｔｏｏｔｈ通信のペアリングをした携帯電話などからなる携帯型通信機器７とＢｌｕｅｔｏｏｔｈ通信で接続し、簡易情報取込装置６の操作部４５の不図示の送信キーを押下することで、簡易情報取込装置６のデータ記憶部４４に蓄積した自動販売機１の上記売上金額算定情報を携帯型通信機器７から公衆無線回線３を介してデータ管理センターの自動販売機情報管理機４の情報収集サーバ１５に送信することもできる。
【００９３】
このように携帯型通信機器７にあっては、簡易情報取込装置６の送受信部４９とＢｌｕｅｔｏｏｔｈ通信のペアリングによる接続を行なうために、ＢＬｕｅｔｏｏｔｈ（登録商標）規格に基づく近距離無線通信の通信インターフェースが搭載された送受信部７０を有している。また、自動販売機情報管理機４と公衆通信回線３を介して通信による接続を行なえるようにするための無線モデム部７１を有している。
【００９４】
上記Ｂｌｕｅｔｏｏｔｈ通信のペアリングによる接続を行なうための送信部と無線モデム部は、個人個々や業務用として広く一般に普及している携帯電話に設けられている。そのため、携帯型通信機器７としては、携帯電話が十分にして簡単に利用できる。
【００９５】
簡易情報取込装置６の電源部４６には、リチュームイオン電池などの二次電池を使っている。そして、巡回作業者は、データ管理センターなどへの帰社後に、簡易情報取込装置６を専用の充電台に装着してリチュームイオン電池などを充電する。この状態で簡易情報取込装置６のデータ記憶部４４に記憶されている売上金額算定情報を、巡回作業者の管理部門が準備する上位パソコンなどにシリアルＩ／Ｆ（シリアルインターフェース）４７から転送することができるように設けられている。
【００９６】
以上に説明した実施の形態では飲料商品を対象とする例を挙げたが、本発明の料金回収システムはこれに限定されるものではない。本発明は、自動販売機による販売可能となる商品を対象として広範に応用することが可能である。
【符号の説明】
【００９７】
１…自動販売機
１０…制御装置
１１…制御部
１２…状態記憶部
１３…赤外線通信ユニット
２…通信端末装置
２０…制御部
２１…操作部
２２…表示部
２４…データ記憶部
２５…送受信部
３…公衆通信回線
４…自動販売機情報管理機
１４…制御装置
１５…情報収集サーバ
６…簡易情報取込装置
４０…制御部
４１…操作部
４２…表示部
４３…コマンド記憶部
４４…データ記憶部
４５…赤外線通信部
４６…電源部
４７…シリアルＩ／Ｆ
４８…充電端子
４９…送受信部
７…携帯型通信機器
７０…送受信部
７１…無線モデム部
【図１】
2018206304.tif 000003
【図２】
2018206304.tif 000004
【図３】
2018206304.tif 000005
【図４】
2018206304.tif 000006